(57)【要約】【課題】電動工具へ装着したままビットの着脱を可能として作業性を向上させる。【解決手段】集塵カップ１のカップ部２に、内リング２５の後端がハンマドリル５０のチャックカバー５２のテーパ部５８に近接する操作リング７を、コイルバネ２７によって前進位置への付勢状態で設けて、コイルバネ２７に抗して操作リング７を後退させることで、チャックカバー５２を一体的に後退させてドリルビット５３の着脱を可能とした。【選択図】図５
2007276064.tif 000002
【特許請求の範囲】
【請求項１】
チャックカバーの操作によって前端のチャック機構にビットを着脱可能な電動工具に装着されるカップ部と、そのカップ部の前方に連結されて前記ビットの周囲を覆う集塵筒とからなる集塵カップであって、
前記カップ部に、前記チャックカバーを前記ビットの着脱に伴う動作方向へ操作可能な操作部材を設けたことを特徴とする集塵カップ。
【請求項２】
チャックカバーが、ビットのロック位置とロック解除位置との間で前後方向に動作するものにあっては、操作部材を、前後方向へ移動操作可能で、その移動操作に伴って前記チャックカバーを前記ロック位置とロック解除位置との間へ移動させるリング体とした請求項１に記載の集塵カップ。
【発明の詳細な説明】
【技術分野】
【０００１】
本発明は、ハンマドリル等の電動工具へ集塵用に装着される集塵カップに関する。
【背景技術】
【０００２】
ハンマドリル等の電動工具においては、先端のチャック機構に装着したドリルビットを回転させて穿孔作業を行う際、被穿孔材から生じる粉塵を飛散させないように、集塵カップが装着される。この集塵カップは、特許文献１に示すように、筒状のカップ部と、そのカップ部の前方に連結され、ドリルビットを中心としてその周囲を非接触で覆う筒型の容器とからなるものが知られている。また、この集塵カップは、電動工具に設けられたサイドグリップ（サイドハンドル）を利用して装着される。すなわち、サイドグリップのテンションリングを、カップ部の後方に延設したフランジごと工具のハウジングに締め付けることで、サイドグリップの装着と同時に集塵カップの装着も行うものである。
【０００３】
【特許文献１】特開平９−１９３１４６号公報
【発明の開示】
【発明が解決しようとする課題】
【０００４】
ところで、電動工具のビットは、チャック機構に設けられる複数の爪やボール等の規制部材によって把持されており、例えば前後方向へ移動可能な筒状のチャックカバーが前進位置で規制部材の移動を規制することで、ビットのロックが行われる。チャックカバーを後退させると規制部材の移動が許容されるため、ビットのロックが解除されて抜き差しが可能となる。
しかし、上記従来の集塵カップは、装着状態でチャック機構全体を覆うため、集塵カップを装着した状態ではチャックカバーの操作が行えず、ビットを交換等する場合、作業者は一旦集塵カップを取り外してからチャックカバーを操作してビットを交換し、再び集塵カップを装着する手順が必要となり、時間や手間がかかって作業性の低下に繋がっていた。
【０００５】
そこで、本発明は、ビットの着脱が短時間で迅速に行え、作業性に優れる集塵カップを提供することを目的としたものである。
【課題を解決するための手段】
【０００６】
上記目的を達成するために、請求項１に記載の発明は、集塵カップのカップ部に、チャックカバーをビットの着脱に伴う動作方向へ操作可能な操作部材を設けたことを特徴とするものである。
請求項２に記載の発明は、請求項１の目的に加えて、チャックカバーが、ビットのロック位置とロック解除位置との間で前後方向に動作するものにおいて、操作性の良好な操作部材を得るために、操作部材を、前後方向へ移動操作可能で、その移動操作に伴ってチャックをロック位置とロック解除位置との間へ移動させるリング体としたものである。
【発明の効果】
【０００７】
請求項１に記載の発明によれば、操作部材の操作により、集塵カップを装着した状態でもチャックカバーを動作させてビットの抜き差しが可能となる。よって、集塵カップをいちいち着脱する必要がなくなってビットの交換等が短時間で迅速に行え、作業性の向上が図られる。
請求項２に記載の発明によれば、請求項１の効果に加えて、リング体によってチャックカバーを前後方向へスムーズに移動操作可能となり、良好な操作性が得られる。
【発明を実施するための最良の形態】
【０００８】
以下、本発明の実施の形態を図面に基づいて説明する。
《形態１》
図１は、集塵カップの一例を示す縦断面図（（Ａ）が中央縦断面、（Ｂ）が（Ａ）から４５°傾斜した縦断面を夫々示す）で、集塵カップ１は、ハンマドリル等の電動工具に装着される筒状のカップ部２と、カップ部２の前方（図１の左側）に同軸で外装される蛇腹状の集塵筒３とからなる。
まずカップ部２は、前方から、シールキャップ４と、シールキャップ４が嵌着される前筒５と、前筒５に連結される後筒６と、前筒５と後筒６との間に保持される操作部材としての操作リング７とを備える。前筒５は、図２にも示す如く、前方の小径部８の中央に透孔９を穿設して後方を大径部１０とした二段径の筒状体で、シールキャップ４は、中央にビットの貫通孔１１を有し、小径部８の側面に設けた抜け止め突起１２，１２・・と、シールキャップ４の内面に凹設した凹部１３，１３・・との係合によって小径部８に嵌着されている。集塵筒３は、後端が前筒５の大径部１０の後端縁に突設した凸条１４，１４・・に当接する位置まで前筒５に外装され、この状態で、凸条１４の前方に突設した抜け止め突起１５，１５・・が、集塵筒３の後端内周に凹設した凹部１６に係合することで、前筒５と一体に連結される。
【０００９】
一方、後筒６には、図３にも示す如く、中央のリング部１７の前方に、４つの連結腕１８，１８・・が周方向に等間隔で延設される一方、リング部１７の後方に、連結腕１８と位相をずらせて４つの係止腕１９，１９・・が周方向に等間隔で延設されている。ここでは、連結腕１８の先端外面に突設した爪部２０，２０・・を、前筒５における小径部８の根元に穿設した４つの係止孔２１，２１・・に夫々係止させることで、前筒５と一体化されている。また、各係止腕１９の後端には、内側に突出する爪部２２が夫々形成されている。
【００１０】
そして、操作リング７は、図４にも示す如く、前筒５の大径部１０内に遊挿する摺動部２３の後端に、大径部１０及び集塵筒３の外側を後方から覆う断面Ｌ字状の外リング２４を延設する一方、前端に、断面Ｌ字状の内リング２５を延設したリング体で、内リング２５が大径部１０の前壁と後筒６のリング部１７前端に形成したフランジ２６，２６・・とに当接する範囲で軸方向へ前後移動可能となっている。但し、内リング２５とフランジ２６，２６・・との間には、コイルバネ２７が内挿されて、操作リング７を、常態では摺動部２３が大径部１０の前壁に当接する図１の前進位置に付勢されている。２８，２８・・は、内リング２５に穿設されて後筒６の連結腕１８，１８・・を遊挿させる貫通孔である。
【００１１】
以上の如く構成された集塵カップ１は、図５（Ａ）に示すように、電動工具の一例であるハンマドリル５０に、サイドハンドルを利用して固定される。ハンマドリル５０は、図示しない回転・打撃機構が内設されるハウジング５１の先端に、ドリルビット５３が着脱可能なチャック機構を備えている。このチャック機構は、外側のチャックカバー５２を常態で図５に示す前進位置（ロック位置）に付勢することで、軸心側に設けた図示しない規制部材を押圧してドリルビット５３を抜け止め保持するもので、チャックカバー５２をロック解除位置へ後退させると、規制部材の押圧を解除してドリルビット５３の抜き差しが可能となる周知の機構である。なお、チャックカバー５２は、前方が小径、後方が大径となる二段径の筒体で、小径部と大径部との間にはテーパ部５８が形成されている。
また、ハウジング５１におけるチャックカバー５２の後方部位には、サイドハンドルのクランプ部５５が締め付け固定される締着部５４が形成されている。この締着部５４の外周に、集塵カップ１のカップ部２の係止腕１９，１９・・が嵌合可能な４つの溝５６，５６・・が軸方向に形成されると共に、各溝５６の後端に、係止腕１９の爪部２２が係止可能な係止凹部５７が形成されている。
【００１２】
よって、サイドハンドルのクランプ部５５による締着部５４の緊締を緩めた状態で、集塵カップ１のカップ部２をハウジング５１の前方から、係止腕１９を締着部５４の溝５６に夫々合わせた状態で被着し、そのまま後方へ押し込むと、各係止腕１９の爪部２２が係止凹部５７に係止する。この状態でクランプ部５５を締め付ければ、クランプ部５５の内周面が各溝５６内の係止腕１９の外面に近接し、各係止腕１９は締着部５４の周方向と放射方向との移動が共に規制される。よって、カップ部２は締着部５４と一体に連結され、集塵カップ１の装着が完了する。この状態で、集塵カップ１の操作リング７における内リング２５の後端は、チャックカバー５２のテーパ部５８に近接している。なお、内リング２５の後端は、テーパ部５８の傾斜に合わせて斜めにカットされている。
【００１３】
そして、ドリルビット５３を交換等のために取り外す場合は、図５（Ｂ）に示すように、外リング２４を保持して操作リング７をコイルバネ２７の付勢に抗して後退させると、内リング２５の後端がチャックカバー５２のテーパ部５８に当接してチャックカバー５２を一体的に後退させる。よって、ドリルビット５３のロックが解除されてチャック機構からの取り外しが可能となる。
装着の場合も同様に、操作リング７を後退させてチャックカバー５２をロック解除位置まで後退させれば、ドリルビット５３の差込が可能となる。差込後に操作リング７を前進位置へ復帰させれば、同時にチャックカバー５２も図５の前進位置に復帰してドリルビット５３のロックが行われる。なお、このドリルビット５３の抜き差しは集塵筒３の前方開口から行えばよい。
【００１４】
なお、集塵カップ１を取り外す場合は、サイドハンドルのクランプ部５５を緩めて係止腕１９の抜け止めを解除すれば、係止腕１９が締着部５４の放射方向へ移動可能となるため、カップ部２を前方へ抜き取るように引っ張れば、爪部２２が係止凹部５７から外れて集塵カップ１をハウジング５１から取り外すことができる。
【００１５】
このように、上記形態１の集塵カップ１によれば、カップ部２に、チャックカバー５２をドリルビット５３の着脱に伴う動作方向へ操作可能な操作リング７を設けたことで、操作リング７の操作により、集塵カップ１を装着した状態でもチャックカバー５２を動作させてドリルビット５３の抜き差しが可能となる。よって、集塵カップ１をいちいち着脱する必要がなくなってドリルビット５３の交換等が短時間で迅速に行え、作業性の向上が図られる。
また、ドリルビット５３の抜き差しの際に集塵カップ１の着脱が不要となることで、従来集塵カップ１の着脱の際にドリルビット５３との過大な干渉を避けるためにシールキャップ４の透孔に設けていた放射状のスリットを設ける必要がなくなる。よって、集塵カップ１のカップ部２のシール性が高まってハンマドリル５０側での防塵効果の向上も期待できる。
そして、操作部材として操作リング７を採用したことで、筒状のチャックカバー５２を前後方向へスムーズに移動操作可能となり、良好な操作性が得られる。
【００１６】
以下、他の形態を説明する。なお、形態１と同じ構成部には同じ符号を付して重複する説明は省略する。
《形態２》
図６に示す集塵カップ１ａにおいて、カップ部２は、シールキャップ４と、操作リング７ａと、本体３０とから形成されている。まず本体３０は、図７にも示すように、前端にシールキャップ４を係止する抜け止め突起１２を突設して後方に係止腕１９が延設される筒状体で、その中間部には、フランジ３１が周設されて、フランジ３１の外周に、等間隔をおいて４つの周壁部３２，３２・・が前方へ向けて立設されている。また、各周壁部３２の外側には、周壁部３２の後端から前方へ向けたＬ字状の係止片３３が、周壁部３２と所定間隔をおいて突設されると共に、係止片３３における周方向の両側に、集塵筒３の後端が係止される抜け止め突起１５，１５が突設されている。また、本体３０の側面でフランジ３１の前方側には、周壁部３２間の間隔と位相を合わせて当該間隔と同じ幅のスリット３４，３４・・が、前面で透孔９際まで延びるように穿設されている。
【００１７】
一方、ここでの操作リング７ａは、図８にも示す如く、外リング２４の内側で４カ所に、本体３０のスリット３４に収まる幅で前方へ突出し、軸心側へＵ字状に折り返す掛止片３５が、同心円上で等間隔に形成された構成となっている。各掛止片３５における軸心側の折り返し部分の後端には、斜め後方へ向けて、チャックカバー５２のテーパ部５８に当接する押圧部３６が突設されている。
この操作リング７ａは、各掛止片３５を本体３０の周壁部３２，３２間に合わせてスリット３４内に収まるように本体３０の前方から被着されて、外リング２４の内周に形成した段部３７が本体３０の係止片３３に係止する前進位置と、掛止片３５の折り返し部分後端が本体３０のフランジ３１に当接する後退位置との間で移動可能となる。但し、ここでも本体３０のフランジ３１と各掛止片３５との間に介在されたコイルバネ２７により、操作リング７ａは常態で図６に示す前進位置に付勢されている。
【００１８】
以上の如く構成された集塵カップ１ａも、図９（Ａ）に示すように、形態１と同様にハンマドリル５０の締着部５４にサイドハンドルを利用して固定される。この状態で、集塵カップ１ａの操作リング７ａにおける押圧部３６は、チャックカバー５２のテーパ部５８に近接している。よって、ドリルビット５３を交換等のために取り外す場合は、同図（Ｂ）に示すように、外リング２４を保持して操作リング７ａをコイルバネ２７の付勢に抗して後退させると、押圧部３６がチャックカバー５２のテーパ部５８に当接してチャックカバー５２を一体的に後退させる。よって、ドリルビット５３のロックが解除されてチャック機構からの取り外しが可能となる。装着の場合も同様である。
【００１９】
このように、上記形態２の集塵カップ１ａにおいても、集塵カップ１ａを装着した状態でもドリルビット５３の抜き差しが可能となるため、ドリルビット５３の交換等が短時間で迅速に行え、作業性の向上が図られる。特にここでは、集塵カップ１ａのカップ部２に一体型の本体３０を採用したことで、部品点数が形態１よりも少なくなり、製造コストや組み付けの手間が軽減される。
【００２０】
《形態３》
図１０に示す集塵カップ１ｂでは、カップ部２は、形態１と同様に、図１１，１２に示す前筒５と後筒６とから構成されて、後筒６の前方に突設した連結腕１８，１８・・の先端外面に突設した爪部２０，２０・・を、前筒５における小径部８の根元に穿設した４つの係止孔２１，２１・・に夫々係止させることで、前筒５と一体化させている。操作リング７ｂは、図１３に示すように、外リング２４の内側に連設した摺動部２３が後筒６に外装されており、摺動部２３の前端に、後筒６における連結腕１８の間に形成した切欠３８，３８・・に収まり、内側端を後筒６内で後方へ向けたＬ字状の掛止片３９，３９・・が形成されている。ここで切欠３８は、掛止片３９よりもやや幅が広く形成されていることから、操作リング７ｂは、掛止片３９が切欠３８内で微動できる範囲で周方向に回転可能となっている。
【００２１】
また、摺動部２３の内面において、相対向する一対の掛止片３９，３９よりもやや後方には、円形突起４０，４０が突設されている。この円形突起４０，４０は、操作リング７ｂの外装状態で、後筒６の外面で点対称に位置する一対の切欠３８，３８から後方へ向けて形成された直線状の溝４１，４１に遊嵌するもので、各溝４１の前端寄りには、円形突起４０が進入可能なストッパ溝４２が夫々点対称となる周方向に連設されている。よって、操作リング７ｂは、掛止片３９が前筒５の内面に形成された段部４３に当接する前進位置と、掛止片３９が切欠３８の後縁に当接する後退位置との間で前後移動可能となる。
【００２２】
以上の如く構成された集塵カップ１ｂも、図１４（Ａ）に示すように、形態１，２と同様にハンマドリル５０の締着部５４にサイドハンドルを利用して固定される。この状態で、集塵カップ１ｂの操作リング７ｂを前進位置で前方へ向かって右方向へ回転させれば、円形突起４０が後筒６のストッパ溝４２に進入して操作リング７ｂの前後動を阻止し、前進位置が維持される。このとき操作リング７ｂの掛止片３９はチャックカバー５２のテーパ部５８に近接している。よって、ドリルビット５３を交換等のために取り外す場合は、同図（Ｂ）に示すように、外リング２４を保持して先の方向と逆回転させて円形突起４０を溝４１に戻し、そのまま操作リング７ｂを後退させると、掛止片３９がチャックカバー５２のテーパ部５８に当接してチャックカバー５２を一体的に後退させる。よって、ドリルビット５３のロックが解除されてチャック機構からの取り外しが可能となる。
【００２３】
一方、ドリルビット５３をロックする場合は、操作リング７ｂの後方位置での保持を緩めれば、チャックカバー５２が自身の付勢によって前方のロック位置に復帰し、規制部材を押圧してドリルビット５３をロックする。このとき操作リング７ｂもテーパ部５８が掛止片３９に当接することでチャックカバー５２と同時に前進位置に復帰する。ここで操作リング７ｂを回転させて円形突起４０をストッパ溝４２に進入させ、前後動を規制すればよい。
【００２４】
このように、上記形態３の集塵カップ１ｂにおいても、集塵カップ１ｂを装着した状態でもドリルビット５３の抜き差しが可能となるため、ドリルビット５３の交換等が短時間で迅速に行え、作業性の向上が図られる。ここでも、集塵カップ１ｂの操作リング７ｂを付勢するコイルバネ等の弾性部材を用いないため、部品点数が形態１よりも少なくなり、製造コストや組み付けの手間が軽減される。
【００２５】
その他、例えば上記形態のハンマドリルでは、チャックカバーの前方位置でビットのロックを、後退位置でロックの解除を行うようにしているが、これと逆の場合であっても、操作部材の操作方向を逆にして対応すればよい。また、チャックカバーを軸方向に移動操作してビットの着脱を可能とする形態に限らず、チャックカバーを回転操作してビットの着脱を行う電動工具に対しても、操作部材を回転可能に設けてチャックカバーに対して周方向に係止させることで、同様に集塵カップを装着したままのビットの着脱は可能である。よって、電動工具としては、本発明の集塵カップが装着可能であればハンマドリルに限らず、電動ドリル等の他の機種でも本発明の適用が可能である。
【００２６】
さらに、操作部材も、上記形態の操作リングに限らず、例えば外リングを周方向へ断続的に突出するピン状や板状の操作部に代える等、カップ部の形態等に合わせて適宜設計変更可能である。
加えて、カップ部の構造等も、例えば形態２の一体型の本体を形態３に適用したりする等、本発明の趣旨を逸脱しない範囲で適宜変更可能である。
【図面の簡単な説明】
【００２７】
【図１】形態１の集塵カップの縦断面図（（Ａ）が中央縦断面、（Ｂ）が（Ａ）から４５°傾斜した縦断面）である。
【図２】前筒の説明図（（Ａ）が正面、（Ｂ）が側面、（Ｃ）が背面を夫々示す）である。
【図３】後筒の説明図（（Ａ）が正面、（Ｂ）が側面、（Ｃ）が背面を夫々示す）である。
【図４】操作リングの説明図（（Ａ）が正面、（Ｂ）が側面、（Ｃ）が背面を夫々示す）である。
【図５】集塵カップをハンマドリルに装着した状態（（Ａ）が操作リングの前進位置、（Ｂ）が後退位置）を示す説明図である。
【図６】形態２の集塵カップの縦断面図（（Ａ）が中央縦断面、（Ｂ）が（Ａ）から４５°傾斜した縦断面）である。
【図７】本体の説明図（（Ａ）が正面、（Ｂ）が側面、（Ｃ）が背面を夫々示す）である。
【図８】操作リングの説明図（（Ａ）が正面、（Ｂ）が側面、（Ｃ）が背面を夫々示す）である。
【図９】集塵カップをハンマドリルに装着した状態（（Ａ）が操作リングの前進位置、（Ｂ）が後退位置）を示す説明図である。
【図１０】形態３の集塵カップの縦断面図（（Ａ）が中央縦断面、（Ｂ）が（Ａ）から４５°傾斜した縦断面）である。
【図１１】前筒の説明図（（Ａ）が正面、（Ｂ）が側面、（Ｃ）が背面を夫々示す）である。
【図１２】後筒の説明図（（Ａ）が正面、（Ｂ）が側面、（Ｃ）が背面を夫々示す）である。
【図１３】操作リングの説明図（（Ａ）が正面、（Ｂ）が側面、（Ｃ）が背面を夫々示す）である。
【図１４】集塵カップをハンマドリルに装着した状態（（Ａ）が操作リングの前進位置、（Ｂ）が後退位置）を示す説明図である。
【符号の説明】
【００２８】
１，１ａ，１ｂ・・集塵カップ、２・・カップ部、３・・集塵筒、４・・シールキャップ、５・・前筒、６・・後筒、７，７ａ，７ｂ・・操作リング、８・・小径部、１０・・大径部、２３・・摺動部、２４・・外リング、２７・・コイルバネ、３０・・本体、３５，３９・・掛止片、５０・・ハンマドリル、５１・・ハウジング、５２・・チャックカバー、５３・・ドリルビット、５４・・締着部、５８・・テーパ部。
【図１】
2007276064.tif 000003
【図２】
2007276064.tif 000004
【図３】
2007276064.tif 000005
【図４】
2007276064.tif 000006
【図５】
2007276064.tif 000007
【図６】
2007276064.tif 000008
【図７】
2007276064.tif 000009
【図８】
2007276064.tif 000010
【図９】
2007276064.tif 000011
【図１０】
2007276064.tif 000012
【図１１】
2007276064.tif 000013
【図１２】
2007276064.tif 000014
【図１３】
2007276064.tif 000015
【図１４】
2007276064.tif 000016